(57)【要約】【課題】マイクロホンの設置作業や、設置現場での修理が容易で、修理時に部品を無駄にすることもないコンデンサーマイクロホンのコネクタを得る。【解決手段】相手側コネクタとの結合部材１０、結合部材１０および結合部材とケーブル２０との接続部を覆うコネクタハウジング５０、シールド材からなるスリーブ８０、スリーブの内周側に配置された導電性の筒状弾性体８５、スリーブ８０に嵌められ筒状弾性体８５を圧縮するロックリング９０を具備。筒状弾性体８５はケーブル２０の端部におけるシールド線の折り返し部２１の外周側に嵌められロックリング９０で圧縮されることにより、筒状弾性体８５およびスリーブ８０がケーブル２０に物理的に結合されかつケーブル２０のシールド線に電気的に接続され、スリーブ８０とコネクタハウジング５０が嵌まり合っている。【選択図】図１
2008053909.tif 000002
【特許請求の範囲】
【請求項１】
相手側コネクタとの結合部材と、
上記結合部材およびこの結合部材とマイクロホンケーブルとの接続部を覆うコネクタハウジングと、
シールド材からなるスリーブと、
スリーブの内周側に配置された導電性の筒状弾性体と、
スリーブに嵌められ上記筒状弾性体を圧縮するロックリングと、を具備し、
上記筒状弾性体はマイクロホンケーブルの端部におけるシールド線の折り返し部の外周側に嵌められていて上記ロックリングで圧縮されることにより、上記筒状弾性体およびスリーブがマイクロホンケーブルに物理的に結合されかつマイクロホンケーブルのシールド線に電気的に接続され、
上記スリーブとコネクタハウジングが嵌まり合っていることを特徴とするコンデンサーマイクロホンのコネクタ。
【請求項２】
筒状弾性体とロックリングの間にワッシャーが介在している請求項１記載のコンデンサーマイクロホンのコネクタ。
【請求項３】
スリーブの端部には、ロックリングで圧縮される筒状弾性体の移動を規制する内向きフランジが形成されている請求項１記載のコンデンサーマイクロホンのコネクタ。
【請求項４】
コネクタハウジングにはブッシュが嵌められ、このブッシュはスリーブ全体を覆っている請求項１記載のコンデンサーマイクロホンのコネクタ。
【請求項５】
ロックリングの外周には雄ねじが形成され、この雄ねじがスリーブに形成されている雌ねじにねじ込まれることにより筒状弾性体を圧縮している請求項１記載のコンデンサーマイクロホンのコネクタ。
【請求項６】
スリーブは小径円筒部と大径円筒部を有し、小径円筒部に筒状弾性体が配置されロックリングが嵌められている請求項１記載のコンデンサーマイクロホンのコネクタ。
【請求項７】
スリーブの小径円筒部の大径円筒部側端部に雌ねじが形成されている請求項５記載のコンデンサーマイクロホンのコネクタ。
【請求項８】
スリーブの大径円筒部がコネクタハウジングと嵌まり合っている請求項６記載のコンデンサーマイクロホンのコネクタ。
【発明の詳細な説明】
【技術分野】
【０００１】
本発明は、コンデンサーマイクロホンに使用するコネクタ、特にそのシールド構造に関するものである。
【背景技術】
【０００２】
コンデンサーマイクロホンでは、マイクロホンユニットのインピーダンスが高いことから、ＦＥＴ（電界効果型トランジスタ）などを有してなるインピーダンス変換器が用いられている。
【０００３】
タイピン型コンデンサーマイクロホンやグースネック型コンデンサーマイクロホンにおいては、マイクロホンが目立たないようにするために、マイクロホンユニット部にインピーダンス変換器を内蔵し、マイクロホンユニット部とは別に設けた回路収納部に、ローカット回路、出力回路を収納し、専用のマイクケーブルで上記マイクロホンユニット部と回路収納部を接続している。マイクロホンユニット部では音声を電気信号に変換し、この音声信号は、上記回路収納部に伝達され、回路収納部に内蔵された出力回路から出力されるように構成されている。上記ローカット回路、出力回路を内蔵した回路収納部のことを、パワーモジュール部と称している。
【０００４】
マイクロホンユニット部とパワーモジュール部とを接続する専用のマイクロホンケーブルは２芯のシールドケーブルである。このマイクロホンケーブルは、コンデンサーマイクロホンに電源を供給する電源線と、インピーダンス変換器から出力される音声信号をパワーモジュール部に入力する信号線と、これらを静電遮蔽し接地するシールド線で構成されている。上記電源線と信号線を２本の芯線が兼ねていて、この２本の芯線をシールド線が覆っている。
【０００５】
図９は、マイクロホンとパワーモジュール部を接続する専用のマイクロホンケーブルの例を示す。図９において、マイクロホン１は、マイクロホンケース３と、マイクロホンケース３の先端部に内蔵されたマイクロホンユニット２と、マイクロホンユニット２で変換された音声信号のインピーダンス変換回路を含む回路部と、マイクロホンケース３の後端部に設けられた専用のマイクロホンケーブル５との接続部４を有してなる。マイクロホンケーブル５の他端部にはこのケーブル５を図示されないパワーモジュール部に接続するための雄型コネクタ６が設けられている。
【０００６】
上記専用のマイクロホンケーブル５において音声信号は不平衡で伝送されるため、外部からの雑音に弱い。すなわち、外部からの電磁波の影響を受けやすいという難点がある。上記専用のマイクロホンケーブル５の部分に外部から電磁波が到達すると、このマイクロホンケーブル５を通じて電磁波が上記マイクロホンユニット２、インピーダンス変換回路を含む回路部、あるいはパワーモジュール部の内部に入り込み、これらインピーダンス変換回路あるいはモジュール部を構成している半導体素子で検波され、これがノイズとなって音声信号に混入することになる。
【０００７】
マイクロホンで変換された音声信号は、上記パワーモジュール部から平衡シールドケーブルで外部回路に出力される。強い電磁波がマイクロホンあるいはマイクロホンの出力ケーブルに加えられると、高周波電流はマイクロホンケーブルを伝わりマイクロホンコネクタを介しマイクロホン内部に入り込み、インピーダンス変換部で復調され、可聴周波数の雑音としてマイクロホンから出力されてしまう。
【０００８】
上記専用ケーブル５のコネクタ６に対して、パワーモジュール部を接続するためのマイクロホンケーブルは、３ピンのマイクロホンコネクタ（ＥＩＡＪ  ＲＣ−５２３６「音響機器用ラッチロック式丸型コネクタ」で規定されるコネクタ）によって着脱できるように構成されている。上記３ピンのマイクロホンコネクタは、１番ピンが接地、２番ピンが信号のホット側、３番ピンが信号のコールド側として一般に使用されている。上記専用ケーブル５と上記マイクロホンケーブルを接続するための雄型と雌型のコネクタ部は、外部から電磁波が侵入しないようにシールド構造がとられる。
【０００９】
しかしながら、従来のマイクロホン関連のシールド技術は、コンデンサーマイクロホンのシールド技術として満足することができなくなりつつある。すなわち、近年のように携帯電話などの普及によって、高周波の電磁波があらゆる場所に身近に存在していると、高周波信号がマイクロホンケーブルのコネクタ部分から進入し、音声信号にノイズが入り込むケースが増えている。特にコンデンサーマイクロホンの場合は、その近くで使用されている携帯電話から出た高周波信号の影響を受けやすく、コネクタ部分から進入した高周波信号がノイズになりやすいという問題がある。
【００１０】
そこで本発明者は、コネクタ部分から進入しようとする高周波信号を確実に遮蔽して、マイクロホンで電気信号に変換された音声信号にノイズが乗ることを防止することができるコンデンサーマイクロホンのコネクタを提案した（例えば、特許文献１参照）。その構成は、小径円筒部と大径円筒部を有しシールド材からなるかしめ金具を具備し、かしめ金具の上記小径円筒部はマイクロホンケーブルの端部におけるシールド線の折り返し部の外周側に嵌められているとともに、かしめられることによって上記かしめ金具がマイクロホンケーブルに結合されており、かしめ金具の上記大径円筒部は上記マイクロホンケーブルの接続部に被せられ、かしめ金具の上記大径円筒部とコネクタハウジングが嵌まり合っていることを特徴とするものである。
【００１１】
【特許文献１】特開２００６−６７１６５号公報
【００１２】
特許文献１記載の発明の概要を、図７、図８を参照しながら説明する。図７に示すコネクタは雌型のコネクタで、符号１０はコネクタピン受けを示しており、このコネクタピン受け１０は、図９に示すようなマイクロホン側の雄型コネクタ６のピンと電気的に接続される。コネクタピン受け１０は、雄型コネクタ６の３個のピンを受け入れる３個のメス型接点と、これらの接点と電気的に一体の端子板を有し、各端子板にはマイクロホンケーブル２０の芯線２３，２４およびシールド線２２がそれぞれ半田付けによって接続されている。マイクロホンケーブル２０の一端部外周側には、ブッシュ４０、かしめ金具３０、絶縁スリーブ６０がこの順に通され、絶縁スリーブ６０が上記芯線２３，２４の先端部外周側に位置している。
【００１３】
かしめ金具３０は、小径円筒部３２と大径円筒部３１を有してなり、小径円筒部３２と大径円筒部３１の間には、段部が形成されている。かしめ金具３０は導電性材料からなりシールド部材として機能する。大径円筒部３１は、マイクロホンケーブル２０の一端側とコネクタピン受け１０との接続部を空間的な余裕を持って囲み、絶縁スリーブ６０の外径とほぼ同じ外径になっている。上記小径円筒部３２の内径は、マイクロホンケーブル２０の外形よりわずかに大きくなっている。
【００１４】
図８に示すように、マイクロホンケーブル２０の一端部では、芯線２３、２４の外側に被せられているシールド線を外側に折り返すことによって、シールド線がマイクロホンケーブル２０のシース２６の上に被せられ、シールド線の折り返し部２１が形成されている。このシールド線の折り返し部２１の外側にかしめ金具３０の小径円筒部３２を通し、この円筒部３２を外周側から圧縮してかしめることにより、かしめ金具３０と上記シールド線が電気的に接続されるとともに、かしめ金具３０がマイクロホンケーブル２０に結合されている。
【００１５】
ブッシュ４０は、テーパー状の根元部４１と、かしめ金具３０を覆うことができ根元部４１よりも大径のカバー部４２を有してなる。コネクタピン受け１０は円筒状のコネクタハウジング５０の内周側に嵌められている。コネクタハウジング５０はコネクタピン受け１０、絶縁スリーブ６０、およびかしめ金具３０の大径円筒部３１を覆うことができるだけの長さを有している。コネクタハウジング５０の後端外周は、ブッシュ４０の前端内周にねじなどによって結合されている。
【００１６】
以上説明した特許文献１記載のマイクロホンのコネクタによれば、コネクタピン受け１０とマイクロホンケーブル２０の接続部は、小径円筒部３２と大径円筒部３１を有する一体構造のかしめ金具３０で覆われ、上記小径円筒部３２はかしめによってマイクロホンケーブル２０のシールド線に接続され、上記大径円筒部３１はコネクタハウジング５０との嵌まり合いによって電気的に接続されるため、マイクロホンケーブル２０のシールド線からコネクタハウジング５０に至るまで電気的に確実に接続され、開放部（開口部）が無い状態でシールドされ、上記接続部のシールド効果の向上に寄与している。また、マイクロホンケーブル２０のシールド線の折り返し部２１においてかしめ金具３０の小径円筒部３２がかしめられているため、マイクロホンケーブル２０のシールド線とかしめ金具３０が確実に接続され、電気的な接触抵抗を低くすることができ、この点からも上記接続部のシールド効果の向上に寄与している。
【発明の開示】
【発明が解決しようとする課題】
【００１７】
本発明は、特許文献１記載の発明をさらに改良したものである。特許文献１記載の発明によれば、上記のような効果があるが、以下のような対決すべき課題がある。
マイクロホン設置現場においては、マイクロホンケーブルを設置現場の条件に応じた長さに切断してコネクタを接続する必要があり、その際、かしめ金具３０をケーブルにかしめるための専用のかしめ工具を必要とする。また、コネクタを修理する場合も、上記かしめ部を開放しかつ再びかしめるための専用の工具を必要とする。
しかしながら、専用の工具を必要とするため、マイクロホンの設置作業や、設置現場での修理を困難にする要因になっており、加えて、かしめ金具３０を再使用することができない場合もある。
【００１８】
本発明は、特許文献１に記載されているような従来技術の課題を解決し、マイクロホンの設置作業や、設置現場での修理が容易で、修理時に部品を無駄にすることもないコンデンサーマイクロホンのコネクタを提供することを目的とする。
【課題を解決するための手段】
【００１９】
本発明は、相手側コネクタとの結合部材と、この結合部材およびこの結合部材とマイクロホンケーブルとの接続部を覆うコネクタハウジングと、シールド材からなるスリーブと、スリーブの内周側に配置された導電性の筒状弾性体と、スリーブに嵌められ上記筒状弾性体を圧縮するロックリングと、を具備し、上記筒状弾性体はマイクロホンケーブルの端部におけるシールド線の折り返し部の外周側に嵌められていて、上記ロックリングで圧縮されることにより、上記筒状弾性体およびスリーブがマイクロホンケーブルに物理的に結合されかつマイクロホンケーブルのシールド線に電気的に接続され、上記スリーブとコネクタハウジングが嵌まり合っていることを最も主要な特徴とする。
【発明の効果】
【００２０】
相手側コネクタとの結合部材およびこの結合部材とマイクロホンケーブルとの接続部はコネクタハウジングとシールド材からなるスリーブで覆われ、かつ、コネクタハウジングとスリーブはマイクロホンケーブルのシールド線と電気的に一体に接続されるため、コネクタへの電磁波の侵入を確実に阻止することができる。マイクロホンケーブルのシールド線とスリーブとの物理的な結合および電気的な接続は、スリーブに嵌められた筒状弾性体をロックリングで圧縮することによって実現されており、特許文献１に記載されている従来例のように、かしめ金具をかしめるための専用の工具を必要としないため、マイクロホンの設置作業およびメンテナンスが容易になる。また、かしめ金具を使用するものと異なって、筒状弾性体とロックリングは使用を繰り返すことができるため、メンテナンスなどによる部品の消耗を回避することができる。
【発明を実施するための最良の形態】
【００２１】
以下、本発明にかかるコンデンサーマイクロホンのコネクタの実施例について図１乃至図６を参照しながら説明する。図６、図７に示す従来例の構成と同じ構成部分には共通の符号を付してある。
【００２２】
図１乃至図４に示すコネクタは雌型のコネクタで、符号１０は、相手側コネクタすなわち雄型コネクタとの結合部材であるコネクタピン受けを示している。コネクタピン受け１０は、例えば、図９に示すようなマイクロホン側の雄型コネクタ６のピンと電気的に接続される。コネクタピン受け１０は、上記雄型コネクタ６の３個のピンを受け入れる３個のメス型接点と、これらの接点と電気的に一体でコネクタピン受け１０の後端から突出している端子板を有し、各端子板にはマイクロホンケーブル２０の芯線２３，２４およびシールド線からの引き出し線２２がそれぞれ半田付けによって接続されている。マイクロホンケーブル２０の一端部外周側には、ブッシュ４０、スリーブ８０、筒状弾性体８５、ワッシャー９５、ロックリング９０、絶縁スリーブ６０がこの順に通され、絶縁スリーブ６０が上記芯線２３，２４の先端部外周側に位置している。
【００２３】
スリーブ８０は、小径円筒部８２と大径円筒部８１を有してなり、小径円筒部８２と大径円筒部８１の間には段部が形成され、小径円筒部８２の上記段部側（大径円筒部８１側）の内周面には雌ねじ８３が形成されている。スリーブ８０の後端（図１において右端）である上記小径部８２の後端縁部は、半径方向内側に向けて折り曲げられて内向きフランジ８４が形成されている。スリーブ８０は導電性材料からなりシールド部材として機能する。スリーブ８０の大径円筒部８１は、マイクロホンケーブル２０の一端側とコネクタピン受け１０との接続部を空間的な余裕を持って囲み、絶縁スリーブ６０の外径とほぼ同じ外径になっている。スリーブ８０の小径円筒部８２の内周側には上記筒状弾性体８５が嵌められ、スリーブ８０の上記内向きフランジ８４で筒状弾性体８５の挿入方向の移動が規制されている。筒状弾性体８５は、弾力性を有するとともに導電性を備えた材料、例えば導電ゴムによって形成されている。
【００２４】
スリーブ８０の小径円筒部８２に形成された上記雌ねじ８３にロックリング９０がねじ込まれることによって、ワッシャー９５の介在のもとに筒状弾性体８５の抜け止めがなされている。図５はロックリング９０の具体例を示す。図５に示すように、ロックリング９０は円環状の部材で、外周面にはスリーブ８０の雌ねじ８３に螺合することができる雄ねじ９１が形成され、ロックリング９０の軸線方向の一端側には、いわゆる蟹目状のドライバーあるいは一般に市販されているドライバー、やっとこ、あるいはピンセットなどの先端を嵌めてロックリング８０を回転させることができる溝９２が形成されている。ロックリング９０をスリーブ８０の小径円筒部８２にねじ込むことによって筒状弾性体８５を圧縮することができるが、図３に示すような筒状弾性体８５を圧縮しない自然状態での筒状弾性体８５の内径は、マイクロホンケーブル２０の外形よりわずかに大きくなっている。このときの筒状弾性体８５の内径と、ワッシャー９５およびロックリング９０の内径はほぼ同じになっている。スリーブ８０とロックリング９０の間にワッシャー９５を介在させることによって、ロックリング９０を回転させるときの摩擦力を低減し、ロックリング９０を円滑に回転させることができる。
【００２５】
図６に示すように、マイクロホンケーブル２０の一端部では、芯線２３、２４の外側に被せられているシールド線を外側に折り返すことによって、シールド線がマイクロホンケーブル２０のシース２６の上に被せられ、シールド線２０の折り返し部２１が形成されている。このシールド線の折り返し部２１の外側に、筒状弾性体８５とロックリング９０が、スリーブ８０の小径円筒部８２に組み込まれた状態で通されている。ロックリング９０がスリーブ８０にねじ込まれることによって、筒状弾性体８５が圧縮される。筒状弾性体８５の外周側はスリーブ８０の内周面で規制されるため、図４に示すように、筒状弾性体８５の内周側が内方に向かって膨らみ、シールド線２０の折り返し部２１を圧縮する。これにより、筒状弾性体８５およびスリーブ８０がマイクロホンケーブル２０に物理的に結合されるとともに、マイクロホンケーブル２０のシールド線に、筒状弾性体８５およびスリーブ８０が電気的に接続されている。
【００２６】
前記ブッシュ４０は、テーパー状の根元部４１と、スリーブ８０を覆うことができ根元部４１よりも大径のカバー部４２を有してなる。コネクタピン受け１０は円筒状のコネクタハウジング５０の内周側に嵌められている。コネクタハウジング５０は、コネクタピン受け１０、絶縁スリーブ６０、およびスリーブ８０の大径円筒部３１を覆うことができるだけの長さを有し、導電性の材料からなる。コネクタハウジング５０の後端外周は、ブッシュ４０の前端内周にねじなどによって結合されている。
【００２７】
図２、図３、図４は、以上説明した実施例にかかるコンデンサーマイクロホンのコネクタの組立手順を示している。まず、図２（ａ）に示すように、あらかじめマイクロホンケーブル２０の一端部にシールド線の折り返し部２１を形成しておき、この折り返し部２１形成側のマイクロホンケーブル２０の端部外周に沿ってブッシュ４０を挿入する。さらに、図３にも示すように、スリーブ８０の小径部８２に筒状弾性体８５、ワッシャー９５を挿入し、筒状弾性体８５を圧縮しない程度にロックリング９０をねじ込んで筒状弾性体８５の抜け止めをしたスリーブ８０を、マイクロホンケーブル２０の折り返し部２１の外周に嵌める。この折り返し部２１の外周面には筒状弾性体８５の内周面が対向することになる。
【００２８】
次に、図２（ｂ）、図４に示すように、ロックリング９０をスリーブ８０にねじ込んで筒状弾性体８５を圧縮し、前述のように、筒状弾性体８５およびスリーブ８０をマイクロホンケーブル２０に物理的に結合するとともに、マイクロホンケーブル２０のシールド線と、筒状弾性体８５およびスリーブ８０を電気的に接続する。この状態で、マイクロホンケーブル２０の２本の芯線２３，２４とシールド線の一部を延ばしたシールド引き出し線２２が、スリーブ８０の大径部３１の前端から前方に突出している。
【００２９】
次に、図２（ｃ）に示すように、上記芯線２３，２４とシールド引き出し線２２を囲んで絶縁スリーブ６０の外周の一部をスリーブ８０の大径円筒部８１の内周に嵌め、上記芯線２３，２４とシールド引き出し線２２をそれぞれ相手側コネクタとの結合部材であるコネクタピン受け１０の所定の端子板に半田付けする。
【００３０】
その後、円筒形状のコネクタハウジング５０の内周側にコネクタピン受け１０を嵌める。コネクタハウジング５０は、絶縁スリーブ６０と、スリーブ８０の大径円筒部８１を覆うことができるだけの長さを有している。コネクタハウジング５０の後端部外周に形成されたねじに、ブッシュ４０を構成するカバー部４２の前端内周部に形成されたねじが螺合されて、コネクタハウジング５０とブッシュ４０が結合され、図１に示されるようなコンデンサーマイクロホンのコネクタが組み立てられる。コネクタハウジング５０とブッシュ４０も導電性材料からなり、コネクタ内部をシールドする機能を果たしている。また、スリーブ８０の大径円筒部８１の外周面とコネクタハウジング５０の内周面とが重なり合って電気的に一体となり、かつ、マイクロホンケーブル２０のシールド線とコネクタハウジング５０およびブッシュ４０が電気的に一体となることによって、より強固なシールド効果を発揮することができる。
【００３１】
以上説明した本発明の実施例によれば、コネクタ内部をシールドする機能を果たすスリーブ８０の小径円筒部８２に筒状弾性体８５を配置し、スリーブ８０の小径円筒部８２にロックリング９０をねじ込んで筒状弾性体８５を圧縮し、これによって筒状弾性体８５およびスリーブ８０をマイクロホンケーブル２０に物理的に結合するとともに、マイクロホンケーブル２０のシールド線と筒状弾性体８５およびスリーブ８０を電気的に接続するようにしたため、ロックリング９０を締め付け、また、緩めることによって、マイクロホンケーブル２０との結合および取り外しが可能であり、マイクロホンの設置作業およびメンテナンスが容易になる利点がある。また、特許文献１記載の発明において必要であったかしめ工具のような専用の工具を必要としないから、この点でも、マイクロホンの設置作業およびメンテナンスが容易になる利点がある。
【００３２】
圧縮された筒状弾性体８５は、その内周面全体がマイクロホンケーブル２０のシールド線の折り返し部２１を均一に圧縮するので、筒状弾性体８５およびスリーブ８０とマイクロホンケーブル２０のシールド線とが、機械的および電気的に確実かつ安定に結合される利点がある。上記筒状弾性体８５は繰り返し使用することができる利点もある。
ブッシュ４０はスリーブ８０全体を覆っているため、スリーブ８０によるシールド効果をさらに高めている。
【００３３】
図示の実施例は、マイクロホンとパワーモジュール部を接続するケーブル用コネクタの例であったが、本発明にかかるコネクタは、マイクロホンの出力コネクタとして用いられる３ピンのマイクロホンコネクタ（ＥＩＡＪ  ＲＣ−５２３６「音響機器用ラッチロック式丸型コネクタ」で規定されるコネクタ）にも適用することができる。
【図面の簡単な説明】
【００３４】
【図１】本発明にかかるコンデンサーマイクロホンのコネクタの実施例を示す縦断面図である。
【図２】上記実施例にかかるコンデンサーマイクロホンのコネクタを組立順に示す分解縦断面図である。
【図３】上記実施例中の筒状弾性体、スリーブ、マイクロホンケーブルのシールド線の部分を拡大して示す縦断面図である。
【図４】上記筒状弾性体、スリーブ、マイクロホンケーブルのシールド線の部分の異なる態様を図３に準じて示す縦断面図である。
【図５】上記実施例中のロックリングを示す斜視図である。
【図６】本発明にかかるコンデンサーマイクロホンのコネクタが結合されるマイクロホンケーブルの例を示す斜視図である。
【図７】従来のコンデンサーマイクロホンのコネクタの例を示す縦断面図である。
【図８】上記従来のコンデンサーマイクロホンのコネクタの例におけるマイクロホンケーブルとスリーブの部分を示す縦断面図である。
【図９】本発明にかかるコンデンサーマイクロホンのコネクタが結合される相手方のコネクタの例であるマイクロホン側コネクタの例を示す（ａ）は外観図、（ｂ）は縦断面図である。
【符号の説明】
【００３５】
１０    結合部材としてのコネクタピン受け
２０    マイクロホンケーブル
２１    シールド線の折り返し部
４０    ブッシュ
５０    コネクタハウジング
６０    絶縁スリーブ
８０    スリーブ
８１    大径部
８２    小径部
８３    雌ねじ
８４    内向きフランジ
８５    筒状弾性体
９０    ロックリング
９５    ワッシャー
【図１】
2008053909.tif 000003
【図２】
2008053909.tif 000004
【図３】
2008053909.tif 000005
【図４】
2008053909.tif 000006
【図５】
2008053909.tif 000007
【図６】
2008053909.tif 000008
【図７】
2008053909.tif 000009
【図８】
2008053909.tif 000010
【図９】
2008053909.tif 000011